【手続補正書】
【提出日】平成18年11月21日(2006.11.21)
【手続補正１】
【補正対象書類名】明細書
【補正対象項目名】特許請求の範囲
【補正方法】変更
【補正の内容】
【特許請求の範囲】
【請求項１】  クライアントから送信されてくるプリントジョブを蓄積して管理する第１のサーバと、
前記第１のサーバに蓄積されたプリントジョブを受信して得たデータあるいはリーダ部において読み込まれた画像データを出力するプリンタ部を備える画像入出力装置と、
前記第１のサーバまたは前記画像入出力装置と通信して前記第１のサーバによるプリント枚数と前記画像入出力装置による複写枚数とを要求者毎に集計管理して、該集計により算出される総計値に基づいて前記第１のサーバと前記画像入出力装置との使用を禁止させる第２のサーバと、
を有することを特徴とする画像処理システム。
【請求項２】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムであって、
前記第１のサーバは、各プリントジョブの要求者を識別する第１の識別情報とともにプリントジョブで指定されるプリント枚数およびプリントジョブ実行可否を決定する可否情報を記憶する第１の記憶手段と、
前記第１の識別情報と特定された各要求者毎のプリントジョブ実行毎に前記プリント枚数を計数する第１の計数手段と、
前記第１の記憶手段に記憶される前記可否情報の状態を判定して各要求者毎のプリントジョブの送信を禁止する第１の禁止手段と、
前記第２のサーバからのプリント枚数要求に応じて前記第１の記憶手段に記憶された各第１の識別情報毎のプリント枚数を送信する第１の送信手段と、
前記第２のサーバから受信する禁止要求に基づいて前記第１の記憶手段に記憶される可否情報を可状態から否状態に遷移させるプリント制御手段とを有し、
前記画像入出力装置は、前記リーダ部とプリンタ部とによる複写処理を要求する要求者を識別する第２の識別情報とともに複写処理枚数および複写処理実行可否を決定する可否情報を記憶する第２の記憶手段と、
前記第２の識別情報と特定された各要求者毎の複写処理実行毎に複写枚数を計数する第２の計数手段と、
前記第２の記憶手段に記憶される前記可否情報の状態を判定して各要求者毎の複写処理を禁止する第１の禁止手段と、
前記第２のサーバからの複写枚数要求に応じて前記第２の記憶手段に記憶された各識別情報毎の複写枚数を送信する第２の送信手段と、
前記第２のサーバから受信する禁止要求に基づいて前記第２の記憶手段に記憶される可否情報を可状態から否状態に遷移させる複写制御手段とを有し、
前記第２のサーバは、前記第１のサーバから取得する第１の識別情報と前記画像入出力装置から取得する第２の識別情報との対応情報を記憶する第３の記憶手段と、
前記第１のサーバに対してプリント枚数を、前記画像入出力装置に対して複写枚数をそれぞれ取得要求する要求手段と、
前記要求手段による各取得要求に基づいて前記第１のサーバから取得される前記プリント枚数と前記画像入出力装置から取得される複写枚数とを識別情報別に集計して記憶する第４の記憶手段と、
前記第４の記憶手段に記憶された各識別情報毎に設定される制限枚数と比較してプリントジョブおよび複写処理を禁止させる禁止要求を前記第１のサーバおよび前記画像入出力装置に通知する通知手段とを有することを特徴とする画像処理システム。
【請求項３】  前記第１の送信手段は、プリントジョブ要求者が登録された識別情報と一致する場合に、受信したプリントジョブを前記画像入出力装置に送信することを特徴とする請求項２記載の画像処理システム。
【請求項４】  複写要求者が登録された識別情報と一致する場合に、前記リーダ部とプリンタ部とによる複写処理を実行可能とすることを特徴とする請求項２記載の画像処理システム。
【請求項５】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、
各プリントジョブの要求者を識別する第１の識別情報とともにプリントジョブで指定されるプリント枚数およびプリントジョブ実行可否を決定する可否情報を第１のメモリに登録する第１の登録工程と、
前記第１の識別情報と特定された要求者毎のプリントジョブ実行毎に前記プリント枚数を計数する第１の計数工程と、
前記第１のメモリに記憶される前記可否情報の状態を判定して要求者毎のプリントジョブの送信を禁止する第１の禁止工程と、
前記第２のサーバからのプリント枚数要求に応じて前記第１のメモリに登録された各第１の識別情報毎のプリント枚数を送信する第１の送信工程と、
前記第２のサーバから受信する禁止要求に基づいて前記第１のメモリに記憶される可否情報を可状態から否状態に遷移させる第１の遷移工程と、
を有することを特徴とする画像処理システムのデータ管理方法。
【請求項６】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、
前記リーダ部とプリンタ部とによる複写処理を要求する要求者を識別する第２の識別情報とともに複写処理枚数および複写処理実行可否を決定する可否情報を第２のメモリに登録する第２の登録工程と、
前記第２の識別情報と特定された各要求者毎の複写処理実行毎に複写枚数を計数する第２の計数工程と、
前記第２のメモリに登録される前記可否情報の状態を判定して要求者毎の複写処理を禁止する第１の禁止工程と、
前記第２のサーバからの複写枚数要求に応じて前記第２のメモリに登録された識別情報毎の複写枚数を送信する第２の送信工程と、
前記第２のサーバから受信する禁止要求に基づいて前記第２のメモリに登録される可否情報を可状態から否状態に遷移させる第２の遷移工程と、
を有することを特徴とする画像処理システムのデータ管理方法。
【請求項７】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、
前記第１のサーバから取得する第１の識別情報と前記画像入出力装置から取得する第２の識別情報との対応情報を第３のメモリに登録する第３の登録工程と、
前記第１のサーバに対してプリント枚数を、前記画像入出力装置に対して複写枚数をそれぞれ取得要求する要求工程と、
前記要求工程による各取得要求に基づいて前記第１のサーバから取得される前記プリント枚数と前記画像入出力装置から取得される複写枚数とを識別情報別に集計して第４のメモリに登録する登録工程と、
前記第４のメモリに登録された識別情報毎に設定される制限枚数と比較してプリントジョブおよび複写処理を禁止させる禁止要求を前記第１のサーバおよび前記画像入出力装置に通知する通知工程と、
を有することを特徴とする画像処理システムのデータ管理方法。
【請求項８】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、
プリントジョブの要求者を識別する第１の識別情報とともにプリントジョブで指定されるプリント枚数およびプリントジョブ実行可否を決定する可否情報を第１のメモリに登録する第１の登録工程と、
前記第１の識別情報と特定された要求者毎のプリントジョブ実行毎に前記プリント枚数を計数する第１の計数工程と、
前記第１のメモリに記憶される前記可否情報の状態を判定して要求者毎のプリントジョブの送信を禁止する第１の禁止工程と、
前記第２のサーバからのプリント枚数要求に応じて前記第１のメモリに登録された各第１の識別情報毎のプリント枚数を送信する第１の送信工程と、
第２のサーバから受信する禁止要求に基づいて前記第１のメモリに記憶される可否情報を可状態から否状態に遷移させる第１の遷移工程と、
を有することを特徴とするコンピュータが読み出し可能なプログラムを格納した記憶媒体。
【請求項９】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、
前記リーダ部とプリンタ部とによる複写処理を要求する要求者を識別する第２の識別情報とともに複写処理枚数および複写処理実行可否を決定する可否情報を第２のメモリに登録する第２の登録工程と、
前記第２の識別情報と特定された各要求者毎の複写処理実行毎に複写枚数を計数する第２の計数工程と、
前記第２のメモリに登録される前記可否情報の状態を判定して要求者毎の複写処理を禁止する第１の禁止工程と、
前記第２のサーバからの複写枚数要求に応じて前記第２のメモリに登録された識別情報毎の複写枚数を送信する第２の送信工程と、
第２のサーバから受信する禁止要求に基づいて前記第２のメモリに登録される可否情報を可状態から否状態に遷移させる第２の遷移工程と、
を有することを特徴とするコンピュータが読み出し可能なプログラムを格納した記憶媒体。
【請求項１０】  クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、
前記第１のサーバから取得する第１の識別情報と前記画像入出力装置から取得する第２の識別情報との対応情報を第３のメモリに登録する第３の登録工程と、
前記第１のサーバに対してプリント枚数を、前記画像入出力装置に対して複写枚数をそれぞれ取得要求する要求工程と、
前記要求工程による各取得要求に基づいて前記第１のサーバから取得される前記プリント枚数と前記画像入出力装置から取得される複写枚数とを識別情報別に集計して第４のメモリに登録する登録工程と、
前記第４のメモリに登録された各識別情報毎に設定される制限枚数と比較してプリントジョブおよび複写処理を禁止させる禁止要求を前記第１のサーバおよび前記画像入出力装置に通知する通知工程と、
を有することを特徴とするコンピュータが読み出し可能なプログラムを格納した記憶媒体。
【手続補正２】
【補正対象書類名】明細書
【補正対象項目名】０００９
【補正方法】変更
【補正の内容】
【０００９】
【課題を解決するための手段】
本発明に係る画像処理システムは、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信して前記第１のサーバによるプリント枚数と前記画像入出力装置による複写枚数とを要求者毎に集計管理して、該集計により算出される総計値に基づいて前記第１のサーバと前記画像入出力装置との使用を禁止させる第２のサーバとを有することを特徴とする。
【手続補正３】
【補正対象書類名】明細書
【補正対象項目名】００１０
【補正方法】変更
【補正の内容】
【００１０】
本発明に係る画像処理システムは、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムであって、前記第１のサーバは、各プリントジョブの要求者を識別する第１の識別情報とともにプリントジョブで指定されるプリント枚数およびプリントジョブ実行可否を決定する可否情報を記憶する第１の記憶手段と、前記第１の識別情報と特定された各要求者毎のプリントジョブ実行毎に前記プリント枚数を計数する第１の計数手段と、前記第１の記憶手段に記憶される前記可否情報の状態を判定して各要求者毎のプリントジョブの送信を禁止する第１の禁止手段と、前記第２のサーバからのプリント枚数要求に応じて前記第１の記憶手段に記憶された各第１の識別情報毎のプリント枚数を送信する第１の送信手段と、前記第２のサーバから受信する禁止要求に基づいて前記第１の記憶手段に記憶される可否情報を可状態から否状態に遷移させるプリント制御手段とを有し、前記画像入出力装置は、前記リーダ部とプリンタ部とによる複写処理を要求する要求者を識別する第２の識別情報とともに複写処理枚数および複写処理実行可否を決定する可否情報を記憶する第２の記憶手段と、前記第２の識別情報と特定された各要求者毎の複写処理実行毎に複写枚数を計数する第２の計数手段と、前記第２の記憶手段に記憶される前記可否情報の状態を判定して各要求者毎の複写処理を禁止する第１の禁止手段と、前記第２のサーバからの複写枚数要求に応じて前記第２の記憶手段に記憶された各識別情報毎の複写枚数を送信する第２の送信手段と、前記第２のサーバから受信する禁止要求に基づいて前記第２の記憶手段に記憶される可否情報を可状態から否状態に遷移させる複写制御手段とを有し、前記第２のサーバは、前記第１のサーバから取得する第１の識別情報と前記画像入出力装置から取得する第２の識別情報との対応情報を記憶する第３の記憶手段と、前記第１のサーバに対してプリント枚数を、前記画像入出力装置に対して複写枚数をそれぞれ取得要求する要求手段と、前記要求手段による各取得要求に基づいて前記第１のサーバから取得される前記プリント枚数と前記画像入出力装置から取得される複写枚数とを識別情報別に集計して記憶する第４の記憶手段と、前記第４の記憶手段に記憶された各識別情報毎に設定される制限枚数と比較してプリントジョブおよび複写処理を禁止させる禁止要求を前記第１のサーバおよび前記画像入出力装置に通知する通知手段とを有することを特徴とする。
【手続補正４】
【補正対象書類名】明細書
【補正対象項目名】００１３
【補正方法】変更
【補正の内容】
【００１３】
本発明に係る画像処理システムのデータ管理方法は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、各プリントジョブの要求者を識別する第１の識別情報とともにプリントジョブで指定されるプリント枚数およびプリントジョブ実行可否を決定する可否情報を第１のメモリに登録する第１の登録工程と、前記第１の識別情報と特定された要求者毎のプリントジョブ実行毎に前記プリント枚数を計数する第１の計数工程と、前記第１のメモリに記憶される前記可否情報の状態を判定して要求者毎のプリントジョブの送信を禁止する第１の禁止工程と、前記第２のサーバからのプリント枚数要求に応じて前記第１のメモリに登録された各第１の識別情報毎のプリント枚数を送信する第１の送信工程と、前記第２のサーバから受信する禁止要求に基づいて前記第１のメモリに記憶される可否情報を可状態から否状態に遷移させる第１の遷移工程とを有することを特徴とする。
【手続補正５】
【補正対象書類名】明細書
【補正対象項目名】００１４
【補正方法】変更
【補正の内容】
【００１４】
本発明に係る画像処理システムのデータ管理方法は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、前記リーダ部とプリンタ部とによる複写処理を要求する要求者を識別する第２の識別情報とともに複写処理枚数および複写処理実行可否を決定する可否情報を第２のメモリに登録する第２の登録工程と、前記第２の識別情報と特定された各要求者毎の複写処理実行毎に複写枚数を計数する第２の計数工程と、前記第２のメモリに登録される前記可否情報の状態を判定して要求者毎の複写処理を禁止する第１の禁止工程と、前記第２のサーバからの複写枚数要求に応じて前記第２のメモリに登録された識別情報毎の複写枚数を送信する第２の送信工程と、前記第２のサーバから受信する禁止要求に基づいて前記第２のメモリに登録される可否情報を可状態から否状態に遷移させる第２の遷移工程とを有することを特徴とする。
【手続補正６】
【補正対象書類名】明細書
【補正対象項目名】００１５
【補正方法】変更
【補正の内容】
【００１５】
本発明に係る画像処理システムのデータ管理方法は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムのデータ管理方法であって、前記第１のサーバから取得する第１の識別情報と前記画像入出力装置から取得する第２の識別情報との対応情報を第３のメモリに登録する第３の登録工程と、前記第１のサーバに対してプリント枚数を、前記画像入出力装置に対して複写枚数をそれぞれ取得要求する要求工程と、前記要求工程による各取得要求に基づいて前記第１のサーバから取得される前記プリント枚数と前記画像入出力装置から取得される複写枚数とを識別情報別に集計して第４のメモリに登録する登録工程と、前記第４のメモリに登録された識別情報毎に設定される制限枚数と比較してプリントジョブおよび複写処理を禁止させる禁止要求を前記第１のサーバおよび前記画像入出力装置に通知する通知工程とを有することを特徴とする。
【手続補正７】
【補正対象書類名】明細書
【補正対象項目名】００１６
【補正方法】変更
【補正の内容】
【００１６】
本発明に係る画像処理システムを制御するコンピュータが読み出し可能なプログラムを格納した記憶媒体は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、プリントジョブの要求者を識別する第１の識別情報とともにプリントジョブで指定されるプリント枚数およびプリントジョブ実行可否を決定する可否情報を第１のメモリに登録する第１の登録工程と、前記第１の識別情報と特定された要求者毎のプリントジョブ実行毎に前記プリント枚数を計数する第１の計数工程と、前記第１のメモリに記憶される前記可否情報の状態を判定して要求者毎のプリントジョブの送信を禁止する第１の禁止工程と、前記第２のサーバからのプリント枚数要求に応じて前記第１のメモリに登録された各第１の識別情報毎のプリント枚数を送信する第１の送信工程と、第２のサーバから受信する禁止要求に基づいて前記第１のメモリに記憶される可否情報を可状態から否状態に遷移させる第１の遷移工程とを有することを特徴とする。
【手続補正８】
【補正対象書類名】明細書
【補正対象項目名】００１７
【補正方法】変更
【補正の内容】
【００１７】
本発明に係る画像処理システムを制御するコンピュータが読み出し可能なプログラムを格納した記憶媒体は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、前記リーダ部とプリンタ部とによる複写処理を要求する要求者を識別する第２の識別情報とともに複写処理枚数および複写処理実行可否を決定する可否情報を第２のメモリに登録する第２の登録工程と、前記第２の識別情報と特定された各要求者毎の複写処理実行毎に複写枚数を計数する第２の計数工程と、前記第２のメモリに登録される前記可否情報の状態を判定して要求者毎の複写処理を禁止する第１の禁止工程と、前記第２のサーバからの複写枚数要求に応じて前記第２のメモリに登録された識別情報毎の複写枚数を送信する第２の送信工程と、第２のサーバから受信する禁止要求に基づいて前記第２のメモリに登録される可否情報を可状態から否状態に遷移させる第２の遷移工程とを有することを特徴とする。
【手続補正９】
【補正対象書類名】明細書
【補正対象項目名】００１８
【補正方法】変更
【補正の内容】
【００１８】
本発明に係る画像処理システムを制御するコンピュータが読み出し可能なプログラムを格納した記憶媒体は、以下の特徴的構成を備える。
クライアントから送信されてくるプリントジョブを蓄積して管理する第１のサーバと、前記第１のサーバに蓄積されたプリントジョブを受信して得たデータあるいはリーダ部において読み込まれた画像データを出力するプリンタ部を備える画像入出力装置と、前記第１のサーバまたは前記画像入出力装置と通信可能な第２のサーバとを備える画像処理システムを制御するコンピュータが読み出し可能なプログラムを格納した記憶媒体であって、前記第１のサーバから取得する第１の識別情報と前記画像入出力装置から取得する第２の識別情報との対応情報を第３のメモリに登録する第３の登録工程と、前記第１のサーバに対してプリント枚数を、前記画像入出力装置に対して複写枚数をそれぞれ取得要求する要求工程と、前記要求工程による各取得要求に基づいて前記第１のサーバから取得される前記プリント枚数と前記画像入出力装置から取得される複写枚数とを識別情報別に集計して第４のメモリに登録する登録工程と、前記第４のメモリに登録された各識別情報毎に設定される制限枚数と比較してプリントジョブおよび複写処理を禁止させる禁止要求を前記第１のサーバおよび前記画像入出力装置に通知する通知工程とを有することを特徴とする。